(57)【特許請求の範囲】
【請求項１】
目地部を介して設けられた左右の建物の目地部側の外壁面に両端部が枢支された中央部に３個の中央枢支部を有する、少なくとも２個以上の伸縮リンク機構と、この少なくとも２個以上の伸縮リンク機構の両側部の中央枢支部に、内側プレートの中央部に固定された枢支ピンで枢支された前記左右の建物側が開口するコ字状のカバープレートと、このコ字状のカバープレートの外側プレートと接触するようにスライド移動して内部へ先端部が挿入された前記少なくとも２個以上の伸縮リンク機構の両端部の枢支部に枢支された端部カバープレートと、前記少なくとも２個以上の伸縮リンク機構の中央部の中央枢支部に枢支された両端部が、前記カバープレートの外側プレートと重なり、スライド移動できる中央カバープレートとからなることを特徴とする壁用目地カバー装置。
【発明の詳細な説明】
【技術分野】
【０００１】
本発明は目地部を介して設けられた左右の建物の外壁面間を覆う壁用目地カバー装置に関する。
【背景技術】
【０００２】
従来、この種の壁用目地カバー装置は中央カバープレートの両端部に浅皿状の中間支持カバーを用いる構造になっている。
このため、通常時は外表面がほぼ平坦状になっているが、地震で目地部が広くなると、中間支持カバーが外表面に表われて凹部が表われ、危険な状態になったり、美観が悪くなるという欠点があった。
【先行技術文献】
【特許文献】
【０００３】
【特許文献１】特開２００１−２０３９４号公報
【特許文献２】特開２００６−３２２１３２号公報
【発明の概要】
【発明が解決しようとする課題】
【０００４】
本発明は以上のような従来の欠点に鑑み、地震で目地部が広くなったり、狭くなるように左右の建物が揺れ動いても、外表面がほぼ平坦で、従来のように凹部が外表面に表われたりすることなく、その揺れ動きを吸収することができる安全で、美観を保つことができる壁用目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の目地部側の外壁面に両端部が枢支された中央部に３個の中央枢支部を有する、少なくとも２個以上の伸縮リンク機構と、この少なくとも２個以上の伸縮リンク機構の両側部の中央枢支部に、内側プレートの中央部に固定された枢支ピンで枢支された前記左右の建物側が開口するコ字状のカバープレートと、このコ字状のカバープレートの外側プレートと接触するようにスライド移動して内部へ先端部が挿入された前記少なくとも２個以上の伸縮リンク機構の両端部の枢支部に枢支された端部カバープレートと、前記少なくとも２個以上の伸縮リンク機構の中央部の中央枢支部に枢支された両端部が、前記カバープレートの外側プレートと重なり、スライド移動できる中央カバープレートとで壁用目地カバー装置を構成している。
【発明の効果】
【０００７】
以上の説明から明らかなように、本発明にあっては次に列挙する効果が得られる。
（１）請求項１により、通常時や、地震で目地部が広くなっても、目地部は中央カバープレート、コ字状のカバープレートの外側カバープレートおよび端部カバープレートとが重なり合った状態となるので、従来のように外表面に凹部が表われることなく、安全で、美観を保つことができる。    
（２）前記（１）により、構造が簡単であるため、容易に設置することができる。
【図面の簡単な説明】
【０００８】
【図１】本発明を実施するための第１の形態の正面図。
【図２】本発明を実施するための第１の形態の背面図。
【図３】図１の３−３線に沿う断面図。
【図４】本発明を実施するための第１の形態の伸縮リンク機構の説明図。
【図５】本発明を実施するための第１の形態のカバープレートの説明図。
【図６】本発明を実施するための第１の形態の地震で目地部が広くなった場合の説明図。
【図７】本発明を実施するための第１の形態の地震で目地部が狭くなった場合の説明図。
【図８】本発明を実施するための第１の形態の地震で左右の建物が前後方向に揺れ動いた状態の説明図。
【図９】本発明を実施するための第２の形態の正面図。
【図１０】本発明を実施するための第２の形態の背面図。
【図１１】図９の１１−１１線に沿う断面図。
【図１２】本発明を実施するための第３の形態の正面図。
【図１３】本発明を実施するための第３の形態の背面図。
【図１４】図１２の１４−１４線に沿う断面図。
【発明を実施するための形態】
【０００９】
以下、図面に示す本発明を実施するための形態により、本発明を詳細に説明する。
【００１０】
図１ないし図８に示す本発明を実施するための第１の形態において、１は目地部２を介して設けられた左右の建物（左右の躯体も含む）３、３の目地部側の外壁面３ａ、３ａ間を覆う本発明の壁用目地カバー装置で、この壁用目地カバー装置１は前記目地部側の外壁面３ａ、３ａに両端部がヒンジ部材４、４を介して枢支された中央部に３個の中央枢支部５、５Ａ、５を少なくとも２個以上のパンタグラフ状の伸縮リンク機構６、６と、この少なくとも２個以上の伸縮リンク機構６、６の両側の中央枢支部５、５に内側プレート７、７の中央部に固定された枢支ピン８、８で枢支された、前記左右の建物３、３側が開口９、９するコ字状のカバープレート１０、１０と、このコ字状のカバープレート１０、１０の外側プレート１１、１１と接触するようにスライド移動して、内部へ先端部が挿入された前記少なくとも２個以上の伸縮リンク機構６、６の両端部の枢支部１２、１２に枢支された端部カバープレート１３、１３と、前記少なくとも２個以上の伸縮リンク機構６、６の中央部の中央枢支部５Ａに枢支ピン１５、１５で枢支された両端部が前記カバープレート１０、１０の外側プレート１１、１１のほぼ中央部と重なり、スライド移動できる中央カバープレート１４と、この中央カバープレート１４を常時前記伸縮リンク機構６、６側へ、必要に応じて付勢する枢支ピン１５、１５に取付けられた付勢スプリング１６、１６、１６、１６と、前記端部カバープレート１３、１３の後端部と前記左右の建物３、３の外壁面３ａ、３ａとの間をシールするシール剤１７、１７とで構成されている。
【００１１】
上記構成の壁用目地カバー装置１は、通常時には左右の建物３、３の外壁面３ａ、３ａ間の目地部２は中央カバープレート１４、カバープレート１０、１０の外側プレート１１、１１および端部カバープレート１３、１３で覆われている。
【００１２】
この左右の建物３、３の外壁間３ａ、３ａの覆われた状態は、中央カバープレート１４およびカバープレート１０、１０の外側プレート１１、１１の厚さ寸法分だけ端部カバープレート１３、１３より突出しているだけであるので、ほぼ平坦面の状態となっている。
【００１３】
地震で左右の建物３、３が揺れ動き、目地部２が広くなると、図６に示すように中央カバープレート１４の両端部よりカバープレート１０、１０の外側プレート１１、１１が外方へ突出するとともに、端部カバープレート１３、１３もカバープレート１０、１０より外方へ突出して、その揺れ動きを吸収する。
【００１４】
また、地震で左右の建物３、３が揺れ動き、目地部２が狭くなると、図７に示すように中央カバープレート１４の両端部よりカバープレート１０、１０の外側プレート１１、１１が内側へ侵入するとともに、端部カバープレート１３、１３もカバープレート１０、１０へ侵入して、その揺れ動きを吸収する。
【００１５】
地震で左右の建物３、３が異なる前後方向に揺れ動くと、図８に示すように少なくとも２個以上の伸縮リンク機構６、６の両端部のヒンジ部材４、４によって前後方向に回動して、その揺れ動きを吸収する。
なお、地震の揺れ動きが停止すると、元の状態へ自動的に戻る。
【００１６】
［発明を実施するための異なる形態]
次に、図９ないし図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１７】
図９ないし図１１に示す本発明を実施するための第２の形態において、前記本発明を実施するための第１の形態と主に異なる点は、四角枠状のリンク１８と、このリンク１８の対向するアーム１８ａ、１８ａに所定間隔で両端部が枢支ピン１９、１９で枢支された中央枢支アーム２０、２０、２０と、この中央枢支アーム２０、２０、２０に前記リンク１８の両端部の枢支部に枢支ピン２１、２１で枢支されたヒンジ部材４、４と、このヒンジ部材４、４が取付けられた枢支ピン２１、２１間に位置するように、前記中央枢支アーム２０、２０、２０に形成された中央枢支部５、５Ａ、５とで構成した少なくとも２個以上の伸縮リンク機構６Ａ、６Ａを用いた点で、このような伸縮リンク機構６Ａ、６Ａを用いて壁用目地カバー装置１Ａを構成しても、前記本発明を実施するための第１の形態と同様な作用効果が得られる。
【００１８】
図１２ないし図１４に示す本発明を実施するための第３の形態において、前記本発明を実施するための第１の形態と主に異なる点は、少なくとも２個以上の伸縮リンク機構６、６の中央枢支部５Ａ、５Ａに枢支ピン１５、１５で前後方向へ移動しないように中央カバープレート１４を取付けるとともに、前記伸縮リンク機構６、６の両側の中央枢支部５、５、５、５にカバープレート１０、１０が枢支ピン８、８に取付けられた付勢スプリング２２、２２で常時中央カバープレート１４方向へ付勢できるように取付けた点で、このように構成した壁用目地カバー装置１Ｂにしても、前記本発明を実施するための第１の形態と同様な作用効果が得られる。
【産業上の利用可能性】
【００１９】
本発明は目地部を介して設けられた左右の建物の外壁面間を覆う壁用目地カバー装置を製造する産業で利用される。
【符号の説明】
【００２０】
１、１Ａ、１Ｂ：壁用目地カバー装置、
２：目地部、        ３：建物、
４：ヒンジ部材、        ５、５Ａ：中央枢支部、  
６、６Ａ：伸縮リンク機構、  ７：内側プレート、
８：枢支ピン、      ９：開口、
１０：カバープレート、    １１：外側プレート、
１２：端部の枢支部、    １３：端部カバープレート、
１４：中央カバープレート、  １５：枢支ピン、
１６：付勢スプリング、    １７：シール剤、
１８：リンク、      １８ａ：アーム、
１９：枢支ピン、      ２０：中央枢支アーム、
２１：枢支ピン、      ２２：付勢スプリング。
【図１】
0005973385.tif 000002
【図２】
0005973385.tif 000003
【図３】
0005973385.tif 000004
【図４】
0005973385.tif 000005
【図５】
0005973385.tif 000006
【図６】
0005973385.tif 000007
【図７】
0005973385.tif 000008
【図８】
0005973385.tif 000009
【図９】
0005973385.tif 000010
【図１０】
0005973385.tif 000011
【図１１】
0005973385.tif 000012
【図１２】
0005973385.tif 000013
【図１３】
0005973385.tif 000014
【図１４】
0005973385.tif 000015